(57)【要約】【課題】垂直偏向コイルのコーナー部分で発生する磁界を弱めて、画面の歪みを補正し、ミスコンバージェンスも補正する。【解決手段】ラッパ形状のコイルセパレータと、コイルセパレータの内面に設置されて水平偏向磁界を発生させる一対の水平偏向コイルと、コイルセパレータの外面に設置されて電子ビームを垂直方向に偏向させる磁界を発生させ、画面上のピンクッション歪曲を補正するために陰極線管軸を横断して延びたスクリーン側ベントコイル部から発生した磁界がスクリーン側ベントコイル部と最も隣接した偏向コイル部から発生した磁界と反対方向に形成され、スクリーン側の偏向コイル部から発生した磁界を弱化させるようにスクリーン側垂直半径と水平半径が相違するように形成された一対の垂直偏向コイルと、垂直偏向コイルの一部分を覆う円筒形状のフェライトコアとから構成する。【選択図】　図１４
2004039611.tif 000002
【特許請求の範囲】
【請求項１】
陰極線管の後部に装着されて電子ビームを偏向させる偏向ヨークにおいて、
水平偏向コイルと垂直偏向コイルとを電気的に絶縁させるラッパ形状のコイルセパレータと、
前記コイルセパレータの内面に設置されて電子ビームを水平方向に偏向させる磁界を発生させる一対の水平偏向コイルと、
前記コイルセパレータの外面に設置されて電子ビームを垂直方向に偏向させる磁界を発生させ、画面上のピンクッション歪曲を補正するために陰極線管軸を横断して延びたスクリーン側ベントコイル部で発生した磁界が前記スクリーン側ベントコイル部と最も隣接した偏向コイル部で発生した磁界と反対方向に形成され、スクリーン側の前記偏向コイル部で発生した磁界を弱化させるようにスクリーン側の垂直半径と水平半径が相違するように形成された一対の垂直偏向コイルと、
前記水平及び垂直偏向コイルの磁界を補強するために前記垂直偏向コイルの一部分を覆う円筒形状のフェライトコアと、
で構成されたことを特徴とする偏向ヨーク。
【請求項２】
請求項１において、
前記垂直偏向コイルは、垂直半径：水平半径の比率が１：０．５〜０．８で形成されたことを特徴とする偏向ヨーク。
【請求項３】
請求項１において、
前記垂直偏向コイルのスクリーン側ベントコイル部と前記スクリーン側ベントコイルと最も隣接した偏向コイル部との角度は、１５〜４５度を成すことを特徴とする偏向ヨーク。
【請求項４】
請求項１において、
前記垂直偏向コイルは、所定のボビンに捲線されることを特徴とする偏向ヨーク。
【請求項５】
請求項１乃至請求項４のいずれか一項において、
前記垂直偏向コイルは、水平半径が前記フェライトコアの水平半径より小さく形成されることを特徴とする偏向ヨーク。
【請求項６】
陰極線管の後部に装着されて電子ビームを偏向させる偏向ヨークにおいて、
水平偏向コイルと垂直偏向コイルとを電気的に絶縁させるラッパ形状のコイルセパレータと、
前記コイルセパレータの内面に設置されて電子ビームを水平方向に偏向させる磁界を発生させ、画面上のピンクッション歪曲を補正するために陰極線管軸を横断して延びたスクリーン側ベントコイル部で発生した磁界が前記スクリーン側ベントコイル部と最も隣接した偏向コイル部で発生した磁界と反対方向に形成され、スクリーン側の前記偏向コイル部で発生した磁界を弱化させるようにスクリーン側水平半径と垂直半径が相違するように形成された一対の水平偏向コイルと、前記コイルセパレータの外面に設置されて電子ビームを垂直方向に偏向させる磁界を発生させる一対の垂直偏向コイルと、
前記水平及び垂直偏向コイルの磁界を補強するために前記垂直偏向コイルの一部分を覆う円筒形状のフェライトコアと、
で構成されたことを特徴とする偏向ヨーク。
【請求項７】
請求項６において、
前記水平偏向コイルは、水平半径：垂直半径の比率が１：０．５〜０．８で形成されたことを特徴とする偏向ヨーク。
【請求項８】
請求項６において、
前記水平偏向コイルのスクリーン側ベントコイル部と前記スクリーン側ベントコイルと最も近くに隣接した偏向コイル部との角度は、１５〜４５度を成すことを特徴とする偏向ヨーク。
【請求項９】
請求項６乃至請求項８のいずれか一項において、
前記水平偏向コイルは、所定のボビンに捲線されることを特徴とする偏向ヨーク。
【発明の詳細な説明】
【０００１】
【発明の属する技術分野】
本発明は、偏向ヨークに関するもので、より詳しくは、画面歪曲を安定するように補正できる偏向ヨークに関するものである。
【０００２】
【従来の技術】
一般的に、ＴＶ受像機又はモニタの陰極線管（ＣＲＴ）に使われる偏向ヨークは、用いられる偏向コイルの種類によってサドル−トロイダル（ｓａｄｄｌｅ　ｔｏｒｏｉｄａｌ　ｔｙｐｅ）型、サドル−サドル型等、様々である。
【０００３】
より詳しく説明すると、コイルが一定の模様となるように捲線された形態で成形されているのをサドル型と言い、別名、ワインディングフレーム型と呼ばれる。
【０００４】
そして、円筒形状に形成された磁性体材質のフェライトコアにコイルがワインディングされたことをトロイダル型と言い、その他には円筒形上のボビンにコイルを捲線されたことをボビン型偏向コイルという。
【０００５】
こうした偏向コイルが採用される偏向ヨークは、図１乃至図３に示されたとおり構成される、図１は従来技術による偏向ヨークが陰極線管に採用されたのを示した側断面図で、図２は図１に示された偏向ヨークを拡大して示した側断面図であり、図３は図２のＡ−Ａ′線断面図である。
【０００６】
図示されたとおり、従来技術による偏向ヨーク１には、左右対称形に構成され、１つに合体される一対のコイルセパレータ１０が設けられている。
【０００７】
前記コイルセパレータ１０は、陰極線管２のスクリーン面２ａに結合されるスクリーン部１１と、スクリーン部１１から後方へ延長形成されたリアカバー（ｒｅａｒ　ｃｏｖｅｒ）１２と、リアカバー１２の中心部から延長形成されて陰極線管２の電子銃部２ｂに結合されるネック部１３とで構成されている。
【０００８】
そして、コイルセパレータ１０の内面と外面には電子ビームを水平方向に偏向させるために水平偏向磁界を発生させる一対の水平偏向コイル２０と、電子ビームを垂直方向に偏向させるために垂直偏向磁界を発生させる垂直偏向コイル３０が各々設けられている。
【０００９】
また、垂直偏向コイル３０の外面には水平偏向コイル２０と垂直偏向コイル３０から発生される磁界を強化させることができるように磁性体に形成される円筒形状のフェライトコア４０が設けられ、またフェライトコア４０は垂直偏向コイル３０の前端部側と後端部側を除いた一部分だけを覆うように設置されている。
【００１０】
即ち、フェライトコア４０は、図２に示されたとおり、垂直偏向コイル３０の中間部分だけを覆うように設置されている。
【００１１】
一方、水平偏向コイル２０と垂直偏向コイル３０は、前端と後端に外向きフランジ形状のベントコイル部２２，３２とネックベント部２４，３４が一体に形成されている。
【００１２】
もちろん、ネックベント部２４，３４を外向きフランジ形状に形成しなくてもよいが、外向きフランジが形成されない偏向コイルはベントレス（ｂｅｎｔ　ｌｅｓｓ）型と呼ばれる。
【００１３】
ここで、図３を参照して従来技術による偏向ヨーク１の構成をより詳しく説明する。コイルセパレータ１０の内面上下側に一対の水平偏向コイル２０が積置され、コイルセパレータ１０の外面左右側に垂直偏向コイル３０が積置されて、垂直偏向コイル３０の外周面にはフェライトコア４０が積置されている。
【００１４】
即ち、従来技術による偏向ヨーク１は、水平偏向コイル２０と、コイルセパレータ１０と、垂直偏向コイル３０と、フェライトコア４０が順次積置されて構成されている。
【００１５】
一方、図４乃至図６は、前述した水平及び垂直偏向コイル２０，３０の構造と、発生する磁界に伴う偏向力を詳細に図示したもので、図４は図２に示された偏向ヨークの偏向コイル正面図で、図５は図２に示された偏向ヨークの下側偏向の垂直偏向磁界を概略的に図示した概念図であり、図６は図５に示された下側偏向力と電子ビームとの相関関係を図示した概念図である。
【００１６】
ここで、図４及び図５に示された偏向コイルは、垂直偏向コイル３０だけを代表的に示したもので、水平偏向コイル２０は示された垂直偏向コイル３０とその構成及び作用がほぼ同様なので図示しない。
【００１７】
これら図面によれば、従来技術の偏向ヨーク１に適用される垂直偏向コイル３０のベントコイル部３２には、図４に図示されたとおり、電子ビームの垂直偏向力に実質的に不必要な磁界を発生させる無効ベント区間３３が形成され、こうした無効ベント区間３３は、垂直偏向コイル３０のコーナー部分付近まで形成されている。
【００１８】
そして、ベントコイル部３２には電子ビームを実質的に垂直方向に偏向させる垂直偏向磁界を発生させる偏向コイル部３５が延長形成されている。偏向コイル部３５は内側から第１，２，３，４偏向コイル３５ａ，３５ｂ，３５ｃ，３５ｄで構成されている。
【００１９】
もちろん、第１乃至第４偏向コイル３５ａ，３５ｂ，３５ｃ，３５ｄは、垂直偏向コイル３０の後端に形成されたネックベント部３４まで捲線されてネックベント部３４と一体をなす。
【００２０】
このとき、偏向コイル部３５は、垂直偏向コイル３０のコーナー部分へ行くほど垂直偏向力が弱まるように第１偏向コイル３５ａから第４偏向コイル３５ｄまでの捲線数が順次減少するような形態に構成されている。
【００２１】
例えば、第１偏向コイル３５ａから第４偏向コイル３５ｄを１５：９：７：３の割合で捲線する。このように捲線する理由は、第４偏向コイル３５ｄの捲線数が第１乃至第３偏向コイル３５ａ，３５ｂ，３５ｃの捲線数よりも大きい場合、ベントコイル部３２と隣接した第４偏向コイル３５ｄから発生される磁界が強化されて電子ビームが第４偏向コイル３５ｄ方向により長く偏向されるためである。
【００２２】
このように電子ビームが垂直偏向コイル３０のコーナー側、即ちベントコイル部３２と隣接するように形成された第４偏向コイル３５ｄ方向により長く偏向されると、図示されていない陰極線管のスクリーン面のコーナー側に電子ビームが走査されて画面上には強いピンクッション模様のディストーション（ｄｉｓｔｏｒｔｉｏｎ）が発生するため、正常な画面表示が不可能になる。
【００２３】
したがって、これを防止するために第４偏向コイル３５ｄは、第１乃至第３偏向コイル３５ａ，３５ｂ，３５ｃより少ない捲線数を有するように捲線比を調節して捲線する。
【００２４】
【発明が解決しようとする課題】
しかしながら、このように第４偏向コイル３５ｄの捲線比を最小化するのには設計上の物理的限界が存在し、その限界値に近くなるように捲線しても第４偏向コイル３５ｄから発生される磁界によって電子ビームは陰極線管のスクリーン面のコーナー側に長く偏向されて画面上にはピンクッション模様のディストーションが発生する。
【００２５】
換言すれば、第４偏向コイル３５ｄの捲線比を調節することのみでは電子ビームがスクリーン面のコーナー側に長く偏向される現象を防止することは不可能である。
【００２６】
こうした垂直偏向コイル３０では、図５に示したとおり形成される磁界によって垂直偏向力が発生し、図５に示された垂直偏向力は電子ビームの下側偏向時に発生する垂直偏向力を示している。
【００２７】
図面を参照すると、電子ビームの下側偏向時の電流Ｉは、垂直偏向コイル３０の上端に位置した偏向コイル部３５を過ぎて、ベントコイル部３２を経由して下端に位置した偏向コイル部３５に流れるようになる。こうした電流Ｉの進行方向を基準にフレミングの右手の法則によって垂直偏向磁界ＶＢは形成される。
【００２８】
そして、垂直偏向コイル３０の偏向コイル部３５に形成される実質的に電子ビームを垂直方向に偏向させる垂直偏向磁界ＶＢによって、偏向力Ｆは下側方向に発生する。
【００２９】
このとき、偏向力Ｆは、偏向コイル部３５から発生される垂直偏向磁界ＶＢと、電流Ｉの進行方向を基準にフレミングの左手の法則によって下側方向に発生する。
【００３０】
もちろん、ベントコイル部３２から発生する不必要な磁界は、発生する磁力が微小で偏向力Ｆにはその影響が届かない。
【００３１】
このように形成された垂直偏向磁界ＶＢは、図６に示されたとおり、バーレルｂａｒｒｅｌ）磁界に形成されるもので、両側面の磁界が中央部分の磁界より強く発生し、中央部分は膨らんだ形状に形成されて両側面は凹んだ形状の激しいバーレル磁界が形成される。
【００３２】
したがって、垂直偏向磁界ＶＢの中央部分は、電子ビームＢ，Ｇ，Ｒと距離が遠くなり、両側面は電子ビームＢ，Ｇ，Ｒと距離が近くなる。
【００３３】
もちろん、電子ビームＢ，Ｇ，Ｒは、垂直偏向磁界ＶＢの中央部分より両側面に強く偏向されて、スクリーン面２ａの下端側コーナー部分に長く偏向される。
【００３４】
このとき、垂直偏向磁界ＶＢの両側面の磁界がより強く形成される理由は、前述された偏向コイル部３５の第４偏向コイル３５ｄから発生される磁界によるものである。
【００３５】
一方、部材番号ＨＢは、電子ビームをスクリーン面２ａの左右側の方向に偏向させる水平偏向磁界として、ピンクッション磁界が発生されるように設計された図示しない水平偏向コイルから発生される水平偏向磁界である。
【００３６】
こうした水平偏向磁界ＨＢは、中央部分が凹んで上下端側に比べ、中央部分が電子ビームＢ，Ｇ，Ｒと比較的近接するが、上下端側の水平偏向磁界ＨＢの影響によって電子ビームＢ，Ｇ，Ｒは、スクリーン面２ａのコーナー部分に偏向される。
【００３７】
換言すれば、中央部分の水平偏向磁界ＨＢと上下端側の水平偏向磁界ＨＢの磁力差が不十分であり、電子ビームＢ，Ｇ，Ｒがスクリーン面２ａの最右側や最左側に偏向することができない。
【００３８】
一方、図７及び図８は、垂直偏向コイル３０から発生される偏向力Ｆが上側方向に発生される場合を示したもので、図７は図２に示された偏向ヨークの上側偏向時の垂直偏向磁界を概略的に示した概念図で、図８は図７に示された上側偏向力と電子ビームとの相関関係を示した概念図である。
【００３９】
図７のように、電流Ｉは偏向力Ｆが下側方向に発生される場合の逆方向に印加される。これによって垂直偏向磁界ＶＢも図６に示された垂直偏向磁界ＶＢの逆方向に形成される。
【００４０】
したがって、電流Ｉと垂直偏向磁界ＶＢによって偏向力Ｆは上側方向に形成され、電子ビームは偏向力Ｆによって上側方向に偏向されるのである。
【００４１】
こうした垂直偏向磁界ＶＢは、図８に示されたとおり、両側面は凹み、中央部分は膨らんだ形状のバーレル磁界が形成される。したがって、電子ビームＢ，Ｇ，Ｒはこうしたバーレル磁界によってスクリーン面２ａの上端側の中央部分よりコーナー側に長く偏向され、画面上には強いピンクッション模様のディストーション（ｄｉｓｔｏｒｔｉｏｎ）が発生する。
【００４２】
もちろん、水平偏向磁界ＨＢも図６で説明したとおり作用して電子ビームＢ，Ｇ，Ｒをスクリーン面２ａの最右側や最左側に偏向させることができず、画面上にピンクッション模様のディストーションを発生させるのである。
【００４３】
ここで、こうした画面歪曲現象であるディストーションについて、図９と図１０を参照して説明する。図９は陰極線管のスクリーン面に電子ビームが走査される過程を概略的に図示した概念図で、図１０は従来技術の偏向ヨークによる画面歪曲状態を示した概念図である。
【００４４】
図９に示されたとおり、陰極線管のスクリーン面２ａ上部から見ると、電子ビームＢ，Ｇ，ＲはＧを基準にスクリーン面２ａのある一点に集まり、画像を表示するが、スクリーン面２ａが平面に近い状態で形成された場合、電子ビームＢ，Ｇ，Ｒは点線に表示された焦点を過ぎながら交差するようになってスクリーン面２ａのコーナー部又は両端部に長く偏向されるのである。
【００４５】
もちろん、電子ビームＢ，Ｇ，Ｒは、スクリーン面２ａのコーナー部又は両端部まで長く偏向されるだけでなく、Ｂ，ＲがＧを基準に一点に集まらないようになるミスコンバージェンス（ｍｉｓｓ　ｃｏｎｖｅｒｇｅｎｃｅ）も発生するようになる。
【００４６】
このように電子ビームＢ，Ｇ，Ｒがスクリーン面２ａのコーナー部又は両端部まで長く偏向されると、画面上には図１０に示したとおり、幾何学的歪曲現象であるピンクッションディストーションが発生される。詳しくは、水平磁界による左右側Ｅ−Ｗディストーションと、垂直磁界による上下側Ｎ−Ｓディストーションが発生するようになる。
【００４７】
もちろん、こうした画面歪曲現象であるディストーションは、平面に近い形状に形成されたスクリーン面２ａによって電子ビームＢ，Ｇ，Ｒがスクリーン面２ａのコーナー部又は両端部まで長く偏向されて発生されもするが、上述したとおり、垂直偏向コイル３０の偏向コイル部３５に形成された第４偏向コイル３５ｄから発生される垂直偏向磁界ＶＢによっても発生されるのである。
【００４８】
すなわち、第４偏向コイル３５ｄの発生磁界によって両側面が凹み、中央では膨らむように形成された垂直偏向磁界ＶＢによってスクリーン面２ａのコーナー部及び両端部まで電子ビームＢ，Ｇ，Ｒが長く偏向されて発生される。
【００４９】
したがって、画面上にはコーナー部分が突出されて、コーナー間にはピンクッション曲線を有するピンクッションディストーションが発生されるのである。
【００５０】
もちろん、このようなピンクッションディストーションを補正するために偏向ヨーク１のコイルセパレータ１０に形成されたスクリーン部１１側に図示しない永久磁石及び磁性片などを付着してバーレル磁界やピン磁界を強化させる。
【００５１】
すなわち、両側面に比べて中央部分の垂直偏向磁界ＶＢが弱く発生される垂直偏向コイル３０の場合、中央部分の垂直偏向磁界ＶＢを強化できるように永久磁石や磁性片を付着して、電子ビームＢ，Ｇ，Ｒがスクリーン面２ａの上下端まで偏向されるようにする。
【００５２】
もちろん、図示しない水平偏向コイルの場合には中央部分の水平偏向磁界ＨＢがより一層強化されるように永久磁石や磁性片を付着して、中央部分に比べて上下端側の垂直偏向磁界ＨＢが弱まるようにする。
【００５３】
このように中央部分の水平偏向磁界ＨＢを強化させれば、電子ビームＢ，Ｇ，Ｒはスクリーン面２ａの最右側や最左側まで偏向される。
【００５４】
しかしながら、上述したように、永久磁石や磁性片を利用すると、画面上のピンクッションディストーションをある程度まで補正することはできる。しかしながら、別途に永久磁石や磁性片を付着しなければならないため、部品点数及び工程数が増加される欠点がある。
【００５５】
以上、説明したとおり、従来技術による偏向ヨークは、垂直偏向コイル３０から形成される垂直偏向磁界ＶＢの中央部分が膨らんだ形状のバーレル磁界に形成され、電子ビームＢ，Ｇ，Ｒがスクリーン面２ａのコーナー部分に長く偏向されて画面上にピンクッションディストーションが発生される問題がある。
【００５６】
また、水平偏向コイル２０から形成されるピン磁界である水平偏向磁界ＨＢは、中央部分の水平偏向磁界ＨＢが上下端側の水平偏向磁界ＨＢより強く発生されなければならないけれども、その差が微小で電子ビームＢ，Ｇ，Ｒがスクリーン面２ａの最右側や最左側に偏向できなく画面上にピンクッションディストーションが発生される問題がある。
【００５７】
もちろん、このような問題を解決するために垂直偏向コイル３０の第４偏向コイル３５ｄの捲線比を調節できるけれども、捲線比によって第４偏向コイル３５ｄを捲線するのがたいへん難しいという問題がある。
【００５８】
そして、ピンクッションディストーションを補正するために永久磁石や磁性片を使用する場合には部品点数と工程数が増加されて偏向ヨーク１の価格が上昇する問題がある。
【００５９】
合わせて、従来の偏向ヨーク１を平面に近いスクリーン面２ａを有する陰極線管に採用すると、電子ビームＢ，Ｇ，Ｒとスクリーン面２ａの距離が遠くなり、ミスコンバージェンスが発生される問題もある。
【００６０】
本発明は、こうした従来の様々な問題点を解決するために創出されたもので、ミスコンバージェンス及び画面歪みを安定的に補償でき、特に、その他の特性変化に影響を及ぼさない偏向ヨークを提供することにその目的がある。
【００６１】
【課題を解決するための手段】
上記目的を達成する本発明の偏向ヨークは、陰極線管の後部に装着されて電子ビームを偏向させる偏向ヨークにおいて、水平偏向コイルと垂直偏向コイルとを電気的に絶縁させるラッパ形状のコイルセパレータと、前記コイルセパレータの内面に設置されて電子ビームを水平方向に偏向させる磁界を発生させる一対の水平偏向コイルと、前記コイルセパレータの外面に設置されて電子ビームを垂直方向に偏向させる磁界を発生させ、画面上のピンクッション歪曲を補正するために陰極線管軸を横断して延びたスクリーン側ベントコイル部で発生した磁界が前記スクリーン側ベントコイル部と最も隣接した偏向コイル部で発生した磁界と反対方向に形成され、スクリーン側の前記偏向コイル部で発生した磁界を弱化させるようにスクリーン側の垂直半径と水平半径が相違するように形成された一対の垂直偏向コイルと、前記水平及び垂直偏向コイルの磁界を補強するために前記垂直偏向コイルの一部分を覆う円筒形状のフェライトコアとで構成されたことを特徴とする。
【００６２】
本発明の前記垂直偏向コイルは、垂直半径：水平半径の比率が１：０．５〜０．８で形成されたことを特徴とする。
【００６３】
本発明の前記垂直偏向コイルのスクリーン側ベントコイル部と前記スクリーン側ベントコイルと最も隣接した偏向コイル部との角度は、１５〜４５度を成すことを特徴とする。
【００６４】
本発明の前記垂直偏向コイルは、所定のボビンに捲線されることを特徴とする。
【００６５】
本発明の前記垂直偏向コイルは、水平半径が前記フェライトコアの水平半径より小さく形成されることを特徴とする。
【００６６】
そして、本発明は、陰極線管の後部に装着されて電子ビームを偏向させる偏向ヨークにおいて、水平偏向コイルと垂直偏向コイルとを電気的に絶縁させるラッパ形状のコイルセパレータと、前記コイルセパレータの内面に設置されて電子ビームを水平方向に偏向させる磁界を発生させ、画面上のピンクッション歪曲を補正するために陰極線管軸を横断して延びたスクリーン側ベントコイル部で発生した磁界が前記スクリーン側ベントコイル部と最も隣接した偏向コイル部で発生した磁界と反対方向に形成され、スクリーン側の前記偏向コイル部で発生した磁界を弱化させるようにスクリーン側水平半径と垂直半径が相違するように形成された一対の水平偏向コイルと、前記コイルセパレータの外面に設置されて電子ビームを垂直方向に偏向させる磁界を発生させる一対の垂直偏向コイルと、前記水平及び垂直偏向コイルの磁界を補強するために前記垂直偏向コイルの一部分を覆う円筒形状のフェライトコアとで構成されたことを特徴とする。
【００６７】
本発明の前記水平偏向コイルは、水平半径：垂直半径の比率が１：０．５〜０．８で形成されたことを特徴とする。
【００６８】
本発明の前記水平偏向コイルのスクリーン側ベントコイル部と前記スクリーン側ベントコイルと最も近くに隣接した偏向コイル部との角度は、１５〜４５度を成すことを特徴とする。
【００６９】
本発明の前記水平偏向コイルは、所定のボビンに捲線されることを特徴とする。
【００７０】
【発明の実施の形態】
こうした本発明の特徴的構成及びこれに伴う作用効果は、後述する図面を参照した発明の詳細な説明を通じて、より一層明確になる。
【００７１】
図１１は、本発明による偏向ヨークが陰極線管に採用されたことを図示した側断面図で、図１２は図１１に示された偏向ヨークを拡大して示した側断面図である。
【００７２】
図示されたとおり、本発明による偏向ヨーク１００は、左右対称形に構成されて１つに合体される一対のコイルセパレータ１０を設けている。このとき、コイルセパレータ１０は、陰極線管２のスクリーン面２ａに結合されるスクリーン部１１と、スクリーン部１１から後方へ延長形成されたリアカバー（ｒｅａｒ　ｃｏｖｅｒ）１２と、リアカバー１２の中心部から延長形成されて陰極線管２の電子銃部２ｂに結合されるネック部１３とから構成されている。
【００７３】
そして、コイルセパレータ１０の内面と外面には、電子ビームを水平方向に偏向させるために水平偏向磁界を発生させる一対の水平偏向コイル２００と、電子ビームを垂直方向に偏向させるために垂直偏向磁界を発生させる一対の垂直偏向コイル３００とがそれぞれ設けられている。
【００７４】
また、垂直偏向コイル３００の外面には、水平偏向コイル２００と垂直偏向コイル３００で発生される磁界を強化させることができるように磁性体として形成される円筒形状のフェライトコア４０が設けられ、フェライトコア４０は垂直偏向コイル３００の前端部側と後端部側を除いた一部分だけを覆うように設置されている。
【００７５】
すなわち、フェライトコア４００は、図１２に示されているとおり、垂直偏向コイル３００の中間部分のみを覆うように設置されている。
【００７６】
一方、水平偏向コイル２００と垂直偏向コイル３００とは、前端と後端に外向きフランジ形状のベントコイル部２２０，３２０とネックベント部２４０，３４０が一体に形成され、ベントコイル部２２０，３２０は、より正確には陰極線管２のスクリーン２ａ側に形成されている。
【００７７】
このとき、ベントコイル部２２０，３２０は、陰極線管２の軸Ｚを横断して延び、陰極線管２の軸Ｚは陰極線管のスクリーン面２ａである画面に対して９０度の角度を成す。
【００７８】
もちろん、図示された水平偏向コイル２００と垂直偏向コイル３００とは、コイルが捲線された状態で成形されたワインディングフレーム（ｗｉｎｄｉｎｇ　ｆｒａｍｅ）型を示している。
【００７９】
ここで、こうした垂直偏向コイル３００に対して、図１３乃至図１５を参照して説明する。図１３は本発明の偏向ヨークに適用された垂直偏向コイルを図示した斜視図であり、図１４は図１３に図示された垂直偏向コイルの正面図であり、図１５は本発明による偏向ヨークで発生される垂直偏向磁界を図示した概念図である。
【００８０】
図示された図面を参照すると、本発明の偏向ヨーク１に適用される垂直偏向コイル３００は、実質的に電子ビームを垂直方向に偏向させる垂直偏向磁界を発生するように形成されるが、図示されたベントコイル部３２０では実質的に不必要な磁界が発生する。
【００８１】
特に、図１４に図示されたとおり、ベントコイル部３２０に形成された無効ベント区間３３０では、垂直偏向磁界に影響を及ぼさない不必要な磁界が発生する。こうした無効ベント区間３３０は、ベントコイル部３２０の上端コーナー部分から下端コーナー部分までが該当する。
【００８２】
一方、ベントコイル部３２０には垂直偏向磁界を発生させる偏向コイル部３５０が延長形成され、偏向コイル部３５０は水平偏向コイルの内側から無効ベント区間３３０方向に形成された第１，２，３，４偏向コイル３５０ａ，３５０ｂ，３５０ｃ，３５０ｄで構成されている。
【００８３】
もちろん、第１乃至第４の偏向コイル３５０ａ，３５０ｂ，３５０ｃ，３５０ｄは従来と同じ捲線比で構成され、第４偏向コイル３５０ｄの捲線数が最も小さく形成されている。
【００８４】
例えば、第１乃至第４偏向コイル３５０ａ，３５０ｂ，３５０ｃ，３５０ｄの捲線比は１５：９：７：３で構成されている。
【００８５】
こうした第４偏向コイル３５０ｄの構成は本発明の最大の特徴であるため、より詳細に説明する。第４偏向コイル３５０ｄは垂直偏向コイル３００のコーナー部分に形成されてスクリーン側ベントコイル部３２０と最も隣接するように形成され、ベントコイル部３２０の無効ベント区間３３０とも隣接する。
【００８６】
このとき、ベントコイル部３２０の無効ベント区間３３０は、従来と異なり、水平偏向コイル３００の内側方向に縮んだ形態に形成され、これによって第４偏向コイル３５０ｄとベントコイル部３２０との間に１５〜４５度の差角（θ）が形成される。
【００８７】
もちろん、第４偏向コイル３５０ｄは、図１４に示した要部拡大図面に点線で示した従来の垂直偏向コイルの第４偏向コイルより縮んでいる。
【００８８】
すなわち、図１４の要部拡大図面で第４偏向コイル３５０ｄの横に点線で表記したのは、従来の垂直偏向コイルの第４偏向コイルを示したものである。
【００８９】
このように差角（θ）を形成する理由は、第４偏向コイル３５０ｄがベントコイル部３２０とより一層隣接させるようにするためである。
【００９０】
上述したように、従来の垂直偏向コイル３００を上下方向に長く延長して第４偏向コイル３５０ｄとベントコイル部３２０との間に１５〜４５度の差角（θ）が形成されるようにすることができる。こうした場合には垂直偏向コイル３００の外周面に該当するＹ軸垂直半径ＶＲとＸ軸水平半径ＨＲの比率を１：０．５〜０．８に形成しなければならない。
【００９１】
すなわち、垂直偏向コイル３００の垂直外側半径ＶＲと水平半径ＨＲの比率を１：０．５〜０．８に形成すると、自然に第４偏向コイル３５０ｄとベントコイル部３２０との間には、１５〜４５度の差角（θ）が形成されるのである。
【００９２】
もちろん、垂直偏向コイル３００の水平半径ＨＲは、垂直偏向コイル３００の外周面を覆うフェライトコア４０の水平半径より小さく形成しなければならない。
【００９３】
こうした垂直偏向コイル３００は、下側偏向時、電流Ｉが垂直偏向コイル３００の上端部方向に印加されてベントコイル部３２０を経由した後、下端部に流れるようになる。
【００９４】
したがって、第４偏向コイル３５０ｄには図示されたとおり、電流Ｉが上側に流れるようになって、ベントコイル部３２０には下側に流れるようになる。
【００９５】
換言すれば、第４偏向コイル３５０ｄとベントコイル部３２０の電流は互いに反対方向に流れるようになって、フレミングの右手の法則によって磁界はやはり図示されたとおり、互いに反対方向に形成される。
【００９６】
このとき、第４偏向コイル３５０ｄとベントコイル部３２０は、１５〜４５度の差角（θ）が形成されることによって互いに反対方向に発生される磁界で相殺される現象が発生する。
【００９７】
すなわち、第４偏向コイル３５０ｄの磁界が第１乃至第３偏向コイル３５０ａ，３５０ｂ，３５０ｃの磁界に比べて弱まる現象が発生する。
【００９８】
もちろん、ベントコイル部３２０で発生される、より正確にはベントコイル部３２０の無効ベント区間３３０で発生されて相殺される磁界は上述したとおり、垂直偏向コイル３００で不必要に発生される磁界であるから相殺されても電子ビームの垂直偏向の作用には関係ないのである。
【００９９】
こうした磁界相殺効果は、第４偏向コイル３５０ｄとベントコイル部３２０が平行に近いほどより一層大きく発生するので、第４偏向コイル３５０ｄとベントコイル部３２０の差角（θ）を小さくするほどより一層大きく発生するのである。
【０１００】
このように第４偏向コイル３５０ｄから発生される磁界をベントコイル部３２０の磁界に弱化させることができるため、従来のように、第４偏向コイル３５０ｄの捲線数を縮めて第４偏向コイル３５０ｄの磁界を弱化させる必要はない。
【０１０１】
ここで、図１５を参考にして第４偏向コイル３５０ｄの磁界が弱まった本発明による偏向ヨーク１００の垂直偏向磁界ＶＢを詳しく見ると、図示されているとおり、垂直偏向磁界ＶＢは、緩やかな曲線模様に形成される。
【０１０２】
すなわち、点線で表示された、両側面が凹み、中央部分が膨れるように形成された従来の垂直偏向磁界ＶＢとは異なり、両側面が中央部分と同じ円周を有する緩やかな曲線をなすように構成されている。
【０１０３】
換言すれば、従来の垂直偏向磁界ＶＢに凹むように形成された両側面が図示されたＬだけ膨れるようになり、垂直偏向磁界ＶＢは中央部分と両側面が同じ円周を有するようになる。この構成によって、垂直偏向磁界ＶＢのコーナー部分の偏向磁界が弱まるのである。
【０１０４】
したがって、垂直偏向磁界ＶＢのコーナー部分の偏向磁界の弱化で、電子ビームＢ，Ｇ，Ｒは未図示である陰極線管のスクリーン面のコーナー部分まで長く偏向できず、より短く偏向されて画面上で発生されるピンクッションディストーションを補正することができるのである。
【０１０５】
すなわち、スクリーン面のコーナー部分まで長く偏向された電子ビームＢ，Ｇ，Ｒがそれより短く偏向されるため、ピンクッション模様のディストーションがバーレル化してピンクッションディストーションは補正されるのである。
【０１０６】
より正確には、ピンクッションディストーションがバーレル化して長方形の形態をなしながら補正されるのである。
【０１０７】
一方、図１６及び図１７に示されたとおり、水平偏向コイルを前述した垂直偏向コイル３００のように形成することができる。図１６は本発明の偏向ヨークに適用された水平偏向コイルを図示した正面図で、図１７は本発明による偏向ヨークで発生される水平偏向磁界を図示した概念図である。
【０１０８】
図示された水平偏向コイル２００は、前述した垂直偏向コイル３００と同一に形成されるが、ただ横方向に長く形成される点が異なる。
【０１０９】
すなわち、図示された水平偏向コイル２００は図示しない陰極線管のスクリーン側に前述した垂直偏向コイル３００と同一に無効ベント区間２３０を有するベントコイル部２２０が形成され、ベントコイル部２２０には第１，２，３，４偏向コイル２５０ａ，２５０ｂ，２５０ｃ，２５０ｄで構成された偏向コイル部２５０が延長形成される。
【０１１０】
そして、第４偏向コイル２５０ｄは、ベントコイル部２２０と平行に近い形状に形成され、第４偏向コイル２５０ｄとベントコイル部２２０との間には１５〜４５度の間の差角（θ）が形成されている。
【０１１１】
もちろん、こうした差角（θ）を形成するためにベントコイル部２２０は従来と異なり、水平偏向コイル２００の内側に縮んだ形状に形成され、ベントコイル部２２０が縮むようになって水平偏向コイル２００は左右側に長く延びるのである。このとき、水平偏向コイル２００の水平半径ＨＲと垂直半径ＶＲの比率を１：０．５〜０．８に形成して、第４偏向コイル２５０ｄとベントコイル部２２０の差角（θ）が１５〜４５度以内に形成されるようにする。
【０１１２】
したがって、第４偏向コイル２５０ｄとベントコイル部２２０には図１６の要部拡大図面に示されたとおり、電流Ｉが流れるようになって、互いに反対方向の磁界が発生される。互いに反対方向に発生される磁界は、前述された水平偏向コイル３００のように互いに相殺されるのである。
【０１１３】
このように第４偏向コイル２５０ｄで発生される磁界が相殺されると、図１７のように水平偏向磁界ＨＢが発生し、詳しくは点線に表示された従来の水平偏向コイルの水平偏向磁界とは異なり、上下端側が中央部分より弱まった水平偏向磁界ＨＢが発生する。
【０１１４】
すなわち、中央部分の水平偏向磁界ＨＢが上下端側の水平偏向磁界ＨＢより強く電子ビームＢ，Ｇ，Ｒと近くなる。
【０１１５】
換言すれば、水平偏向磁界ＨＢは上下端側に比べて中央部分が電子ビームＢ，Ｇ，Ｒを強く水平方向に偏向させるようになり、図示しないスクリーン面の最右側及び最左側に電子ビームＢ，Ｇ，Ｒを偏向させるのである。
【０１１６】
このように、電子ビームＢ，Ｇ，Ｒがスクリーン面の最右側や最左側に偏向されると、スクリーン面の画面上から発生する従来のピンクッションディストーションをバーレル化でき、ピンクッションディストーションを補正できるのである。
【０１１７】
もちろん、水平偏向磁界ＨＢの中央部分により近接している電子ビームのＢとＲは、水平偏向力が強化されることによってスクリーン面の最右側や最左側により一層偏向するため、スクリーン面が平面に近い形状に形成されてもＧと一点で合うようになってミスコンバージェンスを補正できる。
【０１１８】
すなわち、水平偏向磁界ＨＢの中央部分に形成された磁界が強化されることによって、ピンクッションディストーションとミスコンバージェンスを同時に補正できる。
【０１１９】
一方、上述した本発明による水平偏向コイル２００と垂直偏向コイル３００は、後端部に外向きフランジ形状のネックベント部２４０，３４０がないベントレス（ｂｅｎｔ　ｌｅｓｓ）タイプに適用できることは自明なことであるから、ベントレスタイプの水平及び垂直偏向コイルについては説明を省略する。
【０１２０】
図１８は、本発明の偏向ヨークによって画面歪曲が補正された状態を図示した概念図で、以上で説明した水平偏向コイル２００と垂直偏向コイル３００が適用された本発明による偏向ヨーク１００によってピンクッションディストーションとミスコンバージェンスが補正された状態を図示したものである。
【０１２１】
図示された図面でスクリーン面２ａの内部に点線で表示された部分は従来の偏向ヨークによって発生したピンクッションディストーションを図示したものであって、実線で示したのは本発明による偏向ヨーク１００によってピンクッションディストーションを補正したことを図示したものである。
【０１２２】
図示されたとおり、スクリーン面のコーナー部分まで長く偏向された電子ビームＢ，Ｇ，Ｒがそれより短く偏向されるため、ピンクッション模様のディストーションがバーレル化してピンクッションディストーションは補正される。
【０１２３】
より正確には、ピンクッションディストーションがバーレル化して四角形の形状を構成しながら補正されるのである。
【０１２４】
一方、本発明に適用されるワインディングフレーム型の水平及び垂直偏向コイル２００，３００をボビン（ｂｏｂｂｉｎ）型にすることもできる。
【０１２５】
ここで、図１９乃至図２１は、こうしたボビン型偏向コイルを図示したもので、図１９は本発明の他の実施形態による偏向ヨークを図示した分解斜視図で、図２０Ａは、図１９に図示されたボビン型垂直偏向コイルの構造を図示した正面図、図２０Ｂはその背面図、図２０Ｃはその平面図、図２０Ｄはその側面図である。図２１は図２０Ａに図示された垂直偏向コイルの正面構造を詳細に図示した正面図である。
【０１２６】
それら図面によれば、本発明の他の実施形態における偏向ヨークは、水平偏向コイル２００が内面に積置されたコイルセパレータ１０と、コイルセパレータ１０の外周面に積置される垂直偏向コイル５００と、垂直偏向コイル５００の一部を外周面で覆うフェライトコア４とで構成されている。
【０１２７】
このとき、垂直偏向コイル５００は、前端と後端、すなわち図示しない陰極線管のスクリーン側と電子銃側に突出された複数個のフロントフィンガー（ｆｒｏｎｔ　ｆｉｎｇｅｒ）６２０とリアフィンガー（ｒｅａｒ　ｆｉｎｇｅｒ）６４０を有するボビン６００に捲線される。
【０１２８】
もちろん、垂直偏向コイル５００はボビン６００のフロントフィンガー６２０とリアフィンガー６４０に往復されて捲線されるため、ボビン６００前端から後端に達するまで捲線される。
【０１２９】
そして、図２１に図示されるとおり、垂直偏向コイル５００は、正面に電子ビームの垂直方向の偏向に不必要な磁界が発生される無効ベント区間５３０を有するベントコイル部５２０が形成され、ベントコイル部５２０には電子ビームを実質的に垂直方向に偏向させる偏向磁界を発生する偏向コイル部５５０が形成される。
【０１３０】
ここで、偏向コイル部５５０は垂直偏向コイル５００の内側から形成された第１，２，３，４偏向コイル５５０ａ，５５０ｂ，５５０ｃ，５５０ｄからなり、垂直偏向コイル５００はこのように第１，２，３，４偏向コイル５５０ａ，５５０ｂ，５５０ｃ，５５０ｄが形成されるようにボビン６００のフロントフィンガー６２０に捲線される。
【０１３１】
このとき、第４偏向コイル５５０ｄは、ベントコイル部５２０と近くに形成されたフロントフィンガー６２０によってベントコイル部５２０と平行に近いように捲線され、これによって第４偏向コイル５５０ｄとベントコイル部５２０との間には１５〜４５度の間の差角（θ）が形成される。
【０１３２】
もちろん、垂直偏向コイル５００の垂直半径ＶＲと水平半径ＨＲの比率を１：０．５〜０．８として形成して第４偏向コイル５５０ｄとベントコイル部５２０の差角（θ）が１５〜４５度以内に形成されるようにすることができる。
【０１３３】
しかしながら、垂直偏向コイル５００の水平半径ＨＲは垂直偏向コイル５００の外周面を覆うフェライトコア４０の水平半径より小さく形成されなければならない。
【０１３４】
したがって、第４偏向コイル５５０ｄとベントコイル部５２０には図２１の要部拡大図面に示されたように、電流Ｉが流れるようになって互いに反対方向の磁界が発生し、互いに反対方向に発生される磁界は互いに相殺される。
【０１３５】
このように第４偏向コイル５５０ｄとベントコイル部５２０とで発生する磁界が互いに相殺されて垂直偏向コイル５００のコーナー部分に発生する垂直偏向磁界は弱まって、図示しない電子ビームは垂直偏向コイル５００のコーナー部分に長く偏向されないようになり、ピンクッションディストーションが発生することを防止できる。
【０１３６】
すなわち、垂直偏向磁界が前述した本発明による偏向ヨークと同一に作用してピンクッションディストーションを防止できるので詳細な説明は省略する。
【０１３７】
もちろん、ボビン型垂直偏向コイル５００と同一に水平偏向コイルを形成でき、水平偏向コイルをボビン型垂直偏向コイル５００と同一に形成する場合にはピンクッションディストーションだけでなくミスコンバージェンスも共に補正できる。
【０１３８】
以上のとおり、本発明の実施形態及び本発明の他の実施形態による偏向ヨーク１００は水平及び垂直偏向コイル２００，３００，５００の偏向コイル部２５０，３５０，５５０に捲線されたコイルの捲線比を調節しなくても、画面上のピンクッションディストーションを補正でき、同時にミスコンバージェンスも補正できる。
【０１３９】
また、ピンクッションディストーションを補正するために従来のように永久磁石や磁性片を使用しなくてもよくなるため、部品点数と工程数を減少することができる。
【０１４０】
上記の実施形態は、本発明の望ましい実施形態を説明したに過ぎず、本発明の適用範囲はこの実施形態に限定されるのではなく、同一の技術思想の範囲内で適切に変更することが可能である。
【０１４１】
したがって、本発明の実施形態に示された各構成要素の形状及び構造は変更して実施でき、こうした形状及び構造の変更は、本発明の特許請求の範囲に属することは当然である。
【０１４２】
【発明の効果】
上述したとおり、本発明に伴う偏向ヨークによれば、偏向コイルのコーナーで発生される磁界が弱まって電子ビームが陰極線管のスクリーン面のコーナー部分に長く偏向されることなく短く偏向されるようになり、画面歪みを補正できるだけでなく、ミスコンバージェンスも共に補正できる効果がある。
【０１４３】
また、ピンクッションディストーションを補正するために従来のように永久磁石や磁性片を使用しなくてもよくなるため、部品点数と工程数を減少でき、偏向ヨークの製造単価を節減できるという効果も得ることができる。
【図面の簡単な説明】
【図１】従来技術の偏向ヨークが陰極線管に採用されたことを示す側断面図である。
【図２】図１に示された偏向ヨークを拡大図示した側断面図である。
【図３】図２のＡ−Ａ′線断面図である。
【図４】図２に示された偏向ヨークの偏向コイル正面図である。
【図５】図２に示された偏向ヨークの下側偏向時の垂直偏向磁界を概略的に示した概念図である。
【図６】図５に図示された下側偏向力と電子ビームとの相関関係を示した概念図である。
【図７】図２に示された偏向ヨークの上側偏向時の垂直偏向磁界を概略的に示した概念図である。
【図８】図７に示された上側偏向力と電子ビームとの相関関係を示した概念図である。
【図９】陰極線管のスクリーン面に電子ビームが走査される過程を概略的に示した概念図である。
【図１０】従来技術の偏向ヨークによる画面歪曲状態を示す概念図である。
【図１１】本発明による偏向ヨークが陰極線管に採用されたことを示す側断面図である。
【図１２】図１１に示された偏向ヨークを拡大して示した側断面図である。
【図１３】本発明の偏向ヨークに適用された垂直偏向コイルを示す斜視図である。
【図１４】図１３に示された垂直偏向コイルの正面図である。
【図１５】本発明による偏向ヨークで発生される垂直偏向磁界を示す概念図である。
【図１６】本発明の偏向ヨークに適用された水平偏向コイルの正面図である。
【図１７】本発明の偏向ヨークで発生される水平偏向磁界を示す概念図である。
【図１８】本発明の偏向ヨークによって画面歪曲が補正された状態を示す概念図である。
【図１９】本発明の他の実施形態による偏向ヨークを示した分解斜視図である。
【図２０Ａ】図１９に示されたボビン型垂直偏向コイルの構造を示した正面図である。
【図２０Ｂ】図１９に示されたボビン型垂直偏向コイルの構造を示した背面図である。
【図２０Ｃ】図１９に示されたボビン型垂直偏向コイルの構造を示した平面図である。
【図２０Ｄ】図１９に示されたボビン型垂直偏向コイルの構造を示した側面図である。
【図２１】図２０Ａに示された垂直偏向コイルの正面構造を詳細に示した正面図である。
【符号の説明】
１０　コイルセパレータ
４０　フェライトコア
２００　水平偏向コイル
２５０，３５０，５５０　偏向コイル部
２２０，３２０，５２０　ベントコイル部
３００，５００　垂直偏向コイル
６００　ボビン
ＨＲ　水平半径
ＶＲ　垂直半径
【図１】
2004039611.tif 000003
【図２】
2004039611.tif 000004
【図３】
2004039611.tif 000005
【図４】
2004039611.tif 000006
【図５】
2004039611.tif 000007
【図６】
2004039611.tif 000008
【図７】
2004039611.tif 000009
【図８】
2004039611.tif 000010
【図９】
2004039611.tif 000011
【図１０】
2004039611.tif 000012
【図１１】
2004039611.tif 000013
【図１２】
2004039611.tif 000014
【図１３】
2004039611.tif 000015
【図１４】
2004039611.tif 000016
【図１５】
2004039611.tif 000017
【図１６】
2004039611.tif 000018
【図１７】
2004039611.tif 000019
【図１８】
2004039611.tif 000020
【図１９】
2004039611.tif 000021
【図２０Ａ】
2004039611.tif 000022
【図２０Ｂ】
2004039611.tif 000023
【図２０Ｃ】
2004039611.tif 000024
【図２０Ｄ】
2004039611.tif 000025
【図２１】
2004039611.tif 000026